(57)【要約】【課題】音響を用いて複数の方向またはエリアごとに異なる情報を配信することで、音響を用いた情報配信の利便性を向上させることのできる情報配信システムを提供する。【解決手段】複数の方向またはエリアに、それぞれ異なる音響化された識別情報を放音するスピーカを備えた放音装置を設けるとともに、放音装置が放音した音声を収音する収音部、収音した音声から識別情報を分離および復調する復調部、および、復調された識別情報に対応するコンテンツを再生する再生処理部を備えた携帯端末装置を設けたシステムを構成する。【選択図】図１
2019036973.tif 000002
【特許請求の範囲】
【請求項１】
複数の音声信号をそれぞれ異なる指向性で放音可能な指向性スピーカと、
音声信号および音響化された複数の識別情報が入力され、各識別情報を前記音声信号に重畳し、それぞれ異なる指向性を持つように制御して前記指向性スピーカに供給する放音制御部と、
を備えた放音装置。
【請求項２】
前記放音制御部は、前記各識別情報をそれぞれ異なる方向に向けた指向性を持つように制御する請求項１に記載の放音装置。
【請求項３】
前記放音制御部は、前記各識別情報をそれぞれ異なるエリアをカバーする指向性を持つように制御する請求項１に記載の放音装置。
【請求項４】
それぞれ異なるエリアに設置された複数のスピーカユニットと、
音声信号および音響化された複数の識別情報が入力され、各識別情報を前記音声信号に重畳し、それぞれ異なる前記スピーカユニットに対して供給する放音制御部と、
を備えた放音装置。
【請求項５】
前記放音制御部は、前記各識別情報の音量をそれぞれさらに制御する請求項１乃至請求項４のいずれかに記載の放音装置。
【請求項６】
前記放音制御部は、前記各識別情報を、それぞれ異なる周波数帯域の信号に音響化する変調部をさらに備えた請求項１乃至請求項５のいずれかに記載の放音装置。
【請求項７】
請求項１乃至請求項６のいずれかに記載の放音装置と、
前記放音装置が放音した音声を収音する収音部、収音した音声から前記識別情報を分離および復調する復調部、および、復調された識別情報に対応するコンテンツを再生する再生処理部を備えた携帯端末装置と、
を有する情報配信システム。
【請求項８】
情報通信ネットワークと、
前記情報通信ネットワークに接続され、前記識別情報に基づくコンテンツ情報を割り出すサーバと、をさらに有し、
前記再生処理部は、復調された前記識別情報を前記サーバに送信して該識別情報に対応するコンテンツ情報を取得し、取得したコンテンツ情報に基づいてコンテンツの再生を行う請求項７に記載の情報配信システム。
【発明の詳細な説明】
【技術分野】
【０００１】
この発明は、音響を用いて各種の情報を提供する情報配信システム、および、このシステムに用いられる放音装置に関する。
【背景技術】
【０００２】
音声とともに情報を提供する情報配信システムとしては、テレビ放送のコマーシャルの音声に識別情報を重畳して放音するシステムが提案されている（たとえば、特許文献１参照）。このシステムでは、ユーザが、スマートフォンを使用して収音した音声から識別情報を復調し、この識別情報に対応するアドレス情報をサーバから取得する。そして、このアドレス情報に該当するコンテンツサーバにアクセスして上記コマーシャルに関連する各種情報をスマートフォンの画面に表示させる。
【先行技術文献】
【特許文献】
【０００３】
【特許文献１】特開２０１２−１５５７０６号公報
【発明の概要】
【発明が解決しようとする課題】
【０００４】
しかしながら、上述したシステムでは、テレビの視聴者に対して同じ時刻に一律に同じ情報しか提供できない。たとえば、スピーカに対する視聴位置が異なる複数の視聴者に対して異なる情報を提供することができない。
【０００５】
この発明は、音響を用いて複数の方向またはエリアごとに異なる情報を配信することで、音響を用いた情報配信の利便性を向上させることのできる情報配信システム、および、このシステムに用いられる放音装置を提供することを目的とする。
【課題を解決するための手段】
【０００６】
本発明の放音装置は、複数の音声信号をそれぞれ異なる指向性で放音可能な指向性スピーカと、音声信号および音響化された複数の識別情報が入力され、各識別情報を音声信号に重畳し、それぞれ異なる指向性を持つように制御して指向性スピーカに供給する放音制御部と、を備えたことを特徴とする。
【０００７】
上記発明において、放音制御部は、各識別情報をそれぞれ異なる方向に向けた指向性を持つように制御してもよく、また、各識別情報をそれぞれ異なるエリアをカバーする指向性を持つように制御してもよい。
【０００８】
また、本発明の放音装置は、それぞれ異なるエリアに設置された複数のスピーカユニットと、音声信号および音響化された複数の識別情報が入力され、各識別情報を音声信号に重畳し、それぞれ異なるスピーカユニットに対して供給する放音制御部と、を備えたことを特徴とする。
【０００９】
上記発明において、放音制御部は、各識別情報の音量をさらに制御してもよい。また、各識別情報を、それぞれ異なる周波数帯域の信号に音響化してもよい。
【００１０】
本発明の情報配信システムは、上記放音装置、および、携帯端末装置を有する。携帯端末装置は、放音装置が放音した音声を収音する収音部、収音した音声から識別情報を分離および復調する復調部、および、復調された識別情報に対応するコンテンツを再生する再生処理部を備える。
【００１１】
上記発明において、情報通信ネットワークと、情報通信ネットワークに接続され、識別情報に基づくコンテンツ情報を割り出すサーバと、をさらに設けてもよい。この場合、再生処理部は、復調された識別情報をサーバに送信して該識別情報に対応するコンテンツ情報を取得し、取得したコンテンツ情報に基づいてコンテンツの再生を行えばよい。
【発明の効果】
【００１２】
この発明によれば、複数の方向またはエリアにそれぞれ異なる識別情報が到達するように、音響化された複数の識別情報が放音され、携帯端末装置において受信した識別情報に対応するコンテンツが再生される。したがって、ユーザが現在いるエリアに応じたコンテンツを再生させることが可能となる。これにより、音響を用いた情報配信の利便性を向上させることができる。
【図面の簡単な説明】
【００１３】
【図１】この発明の実施形態である情報配信システムの構成を説明する図
【図２】スマートフォンの優先順位テーブルの例を示す図
【図３】音響ＩＤの重畳方式の例を示す図
【図４】サーバのコンテンツテーブルの例を示す図
【図５】情報配信システムの新製品説明への適用例を示す図
【図６】モニタの構成例を示すブロック図
【図７】スマートフォンの構成例を示すブロック図
【図８】スマートフォン（音響ＩＤ処理部）の音響ＩＤの取得動作を示すフローチャート
【図９】スマートフォンのエリア移動コンテンツテーブルの例を示す図
【図１０】スマートフォン（音響ＩＤ処理部）の音響ＩＤの取得動作および移動検知動作を示すフローチャート
【図１１】この発明の別の実施形態である情報配信システムの構成を説明する図
【発明を実施するための形態】
【００１４】
図面を参照してこの発明の実施形態である情報配信システムについて説明する。図１は、情報配信システムの構成を説明する図である。
【００１５】
この情報配信システム１００は、本発明の放音装置を含むモニタ１が、音響化された識別情報（ＩＤコード）である音響ＩＤを放音し、本発明の携帯端末装置であるスマートフォン２が上記音声から取得（復調）した音響ＩＤを用いて特定のインターネットサイト（ＵＲＬ）からこの音響ＩＤのＩＤコードに対応するコンテンツ情報を獲得して再生するシステムである。また、この情報配信システム１００では、それぞれ範囲の一部が重複する複数のエリアＡ〜Ｃに対してそれぞれ異なる音響ＩＤが放音され、ユーザ６（スマートフォン２）は、現在位置のエリアＡ〜Ｃに放音されている音響ＩＤを取得する。現在位置が複数のエリアに属している場合は、それらのエリアに対応する複数の音響ＩＤを取得する。
【００１６】
この情報配信システム１００は、たとえば、展示会などで大型のモニタ１に新商品の説明（広告）に関する動画及び音声を来場者（ユーザ６）に向けて再生する場合に、より有用な情報をユーザ６に配信したり、遠くから視聴しているユーザ６をモニタ１正面に誘導したりするのに使用される。
【００１７】
情報配信システム１００は、モニタ１およびサーバ４を有している。モニタ１は、動画などのコンテンツの再生装置１１０から受信した動画を表示するとともに音声を放音する。モニタ１は、表示装置１０および放音装置１１を有している。表示装置１１は、たとえば液晶表示装置であり、上述した再生装置１１０から受信した動画（映像信号）を表示する。放音装置１１は、上述した再生装置１１０から受信した動画に対応する音声を指向性スピーカ１３（図６参照）から放音する。
【００１８】
また、放音装置１１は、複数のＩＤコードのそれぞれを音響信号に変調した（音響化した）音響ＩＤを、動画の音声と一緒に放音する。この実施形態では、３つの音響ＩＤ５（５Ａ〜５Ｃ）（図３参照）が放音される。また、放音装置１は、音響ＩＤ５Ａ〜５Ｃのそれぞれが対応するエリアＡ〜Ｃに到達するように音響ＩＤ５の音量制御および指向性制御を行う。詳細は後述する。放音された音響ＩＤ５は、各エリアＡ〜Ｃでユーザ６が所持するスマートフォン２を用いて取得することができる。
【００１９】
エリアＡ〜Ｃは、図１に示すように一部が重複するように構成されている。音響ＩＤ５Ａは、エリアＡに向けて放音される。音響ＩＤ５Ｂは、エリアＢに向けて放音される。音響ＩＤ５Ｃは、エリアＣに向けて放音される。ここで、エリアＡは、モニタ１の近距離の正面をカバーする。エリアＢは、モニタ１の近距離から中距離の正面をカバーする。エリアＣは、モニタ１の近距離から中距離の正面およびやや側方をカバーする。したがって、エリアＡは、エリアＢ，Ｃと重複し包含されている。また、エリアＢは、エリアＣと重複し包含されている。したがって、エリアＡでは、音響ＩＤ５Ａが取得されるが、さらにエリアＢ，Ｃに対応する音響ＩＤ５Ｂ，５Ｃも取得される。エリアＢでは、音響ＩＤ５Ｂに加え、エリアＣに対応する音響ＩＤ５Ｃが取得される。また、エリアＣのエリアＡ，Ｂに重複されていない領域では、音響ＩＤ５Ｃのみ取得される。なお、この図では、一つのエリアがもう一つのエリアに完全に包含される例を示したが、相互に一部のみ重なりあうようエリアが設定されてもよい。また、エリアおよび音響ＩＤの数は３に限定されない。
【００２０】
３つの音響ＩＤには優先順位が設定されている。スマートフォン２が複数の音響ＩＤ５を取得した場合、優先順位の高い１の音響ＩＤ５が選択される。スマートフォン２には、図２に示すように、音響ＩＤ５Ａ〜５ＣのＩＤコード（それぞれ０００１，０００２，０００３）に優先順位を対応付けた優先順位テーブル２０が記憶されている。したがって、たとえば、エリアＡにおいて、スマートフォン２によって音響ＩＤ５Ａ〜５Ｃが取得された場合は、優先順位の高い音響ＩＤ５Ａが選択される。
【００２１】
各音響ＩＤ５Ａ〜５Ｃを、各エリアＡ〜Ｃに到達させるには、上述したように音響ＩＤ５Ａ〜５Ｃの音量および指向性を制御する。たとえば、スピーカ１３から距離の遠いエリアＣに対応する音響ＩＤ５Ｃは、スピーカ１３からの距離の近いエリアＡに対応する音響ＩＤ５Ａよりも音量が大きくなるように変調される。指向性の制御は、指向性スピーカ１３を構成する各スピーカから放音（出力）するタイミングを制御する。たとえば、音響ＩＤ５Ｃを放音する場合、指向性スピーカ１３を構成する端部のスピーカから放音するタイミングを、中央のスピーカから放音するタイミングよりも遅らせることで、エリアＣの形状に沿って拡散するように放音される。なお、指向性スピーカ１３の指向性制御は、例えば本出願人の特開２００６−２５１５３号公報に記載されている手法を用いればよい。また、再生装置１１０からの音響信号は、音響ＩＤ５とは別に指向性制御されて指向性スピーカ１３から放音される。
【００２２】
各音響ＩＤ５Ａ〜５Ｃは、ＩＤコード（情報信号）から変調される際、図３に示すように、指向性スピーカ１３で再生される帯域の音声のうち高音域の周波数帯域に周波数シフトされる。図３に示すように動画の再生などに使用される音声の上限周波数は１６ｋＨｚ程度である。この実施形態では、１７〜２０ｋＨｚの帯域を３つに分けた３バンドのそれぞれに音響ＩＤ５Ａ，Ｂ，Ｃが含まれるように周波数シフトされる。
【００２３】
スマートフォン２が、上のような音響ＩＤ５を取得するためには、インストールされている音響ＩＤアプリケーションプログラム２００を起動する必要がある。音響ＩＤアプリケーションプログラム２００は、収音した音声から音響ＩＤ５を分離・復調し、この音響ＩＤ５（ＩＤコード）をサーバ４に送信して対応するコンテンツ情報を受信するプログラムである。また、音響ＩＤアプリケーションプログラム２００は、サーバ４から受信したコンテンツ情報を再生する。コンテンツ情報は、たとえば、テキストデータである。スマートフォン２は、テキストデータを受信すると、表示画面にテキストデータを再生する（表示する）。なお、コンテンツ情報はテキストデータに限定されるものではなく、サーバ４とは別のコンテンツサーバのＵＲＬや画像情報などであってもよい。
【００２４】
サーバ４は、図４に示すような音響ＩＤ５Ａ〜５ＣのＩＤコード（それぞれ０００１，０００２，０００３）とコンテンツ情報とが対応付けられたコンテンツテーブル４０を記憶し、受信したＩＤコード（音響ＩＤ５）に対応するコンテンツ情報をコンテンツテーブル４０から読み出してスマートフォン２に返信する。この実施形態のコンテンツテーブル４０では、各音響ＩＤ５Ａ〜５ＣのＩＤコードに対応するテキストデータのコンテンツ情報が登録されている。この実施形態のコンテンツテーブル４０には、展示会の来場者（ユーザ６）をモニタ１の正面にまで誘導するためのメッセージもコンテンツ情報として登録されている。
【００２５】
たとえば、新製品説明の動画が再生されると、図５に示すような動画がモニタ１の表示装置１０に表示されるとともに、指向性スピーカ１３から音響ＩＤ５が重畳された新製品説明の音声が放音される。動画中には、図５に示すような音響ＩＤアプリケーションプログラム（音響ＩＤアプリ）２００の起動を促す文言６０も表示される。そして、この文言６０の表示に並行して、指向性スピーカ１３から音響ＩＤ５が重畳された説明音声６１が放音される。
【００２６】
ユーザ６は、必要に応じてスマートフォン２を操作して音響ＩＤアプリケーションプログラム２００を起動する。なお、既に起動している場合、自動的に起動する場合にはユーザ６の操作は不要である。音響ＩＤアプリケーションプログラム２００が起動された（音響ＩＤ処理部２２が構成された）スマートフォン２は、放音された音響ＩＤ５を収音し、これをＩＤコードに復調して上に説明したサーバ４へのアクセスを開始する。
【００２７】
ユーザ６が、図１に示すようなエリアＡ，Ｂに重複していないエリアＣの領域にいる場合、スマートフォン２は音響ＩＤ５Ｃを収音する。そして、スマートフォン２は、サーバ４から受信したコンテンツ情報「画面正面でお近くまで来て頂くと、お得な情報をお教えします。」を画面に表示する。そして、ユーザ６が、表示されたメッセージにしたがってエリアＡに移動し、音響ＩＤ５を再度収音した場合、スマートフォン２は音響ＩＤ５Ａ〜５Ｃを取得する。そして、スマートフォン２は、優先度の高い音響ＩＤ５Ａのコンテンツ情報「耳寄りなお知らせがあります。詳細はＵＲＬを参照ください（http://www.XXXX.co.jp/）。」をサーバ４から受信して画面に表示する。
【００２８】
ユーザ６が、表示されているコンテンツ情報に含まれるＵＲＬを選択操作することで、ウェブブラウザ２６（図７参照）が起動して、選択されたＵＲＬのコンテンツが表示される。たとえば、モニタ１に表示している説明中の新製品の購入クーポンの画像が表示される。また、スマートフォン２が、サーバ４から取得したＵＲＬに自動的にアクセスしてもよい。
【００２９】
このように、複数のエリアＡ〜Ｃにそれぞれ異なる識別情報（音響ＩＤ５）が到達するように、音響化された複数の識別情報が放音され、携帯端末装置（スマートフォン２）において優先順位の高い識別情報に対応するコンテンツが再生されることによって、ユーザ６が現在いるエリアＡ〜Ｃに応じたコンテンツを再生させることが可能となる。これによって、音響を用いた情報配信の利便性を向上させることができる。
【００３０】
また、上述したようにユーザ６を所定エリア（エリア１）に誘導することで、さらに追加的な情報をユーザ６に提供することができる。たとえば、モニタ１の付近で待機している新商品の商談担当者から、ユーザ６により詳細な商品情報、費用見積情報などを提供することができる。
【００３１】
図６は、モニタ１の構成例を示すブロック図である。モニタ１は、表示装置１０および放音装置１１を有している。表示装置１０は、コンテンツの再生装置１１０に接続され、再生装置１１０によって再生された動画の映像信号を受信・表示する。放音装置１１は、コンテンツの再生装置１１０に接続され、再生装置１１０によって再生された動画に同期して再生される音声のオーディオ信号を受信し、指向性スピーカ１３から放音する。また、放音装置１１は、上記音声に音響ＩＤ５を重畳して放音する。
【００３２】
放音装置１１は、音声再生機１２及び指向性スピーカ１３を有している。音声再生機１２は、制御部１５、エンコーダ１６Ａ〜１６Ｃ、指向性制御部１７、ネットワーク通信部１８、記憶部１９を有している。制御部１５は、ＣＰＵ、メモリ等から構成され、装置全体の動作を制御する。たとえば、制御部１５は、記憶部１９に記憶されている音響ＩＤ５Ａ〜５ＣのＩＤコードを読み出して、対応するエンコーダ１６Ａ〜１６Ｃに送信する。また、制御部１５は、ネットワーク通信部１８を介してサーバ４からの指示を受信して、記憶部１９に記憶されている音響ＩＤ５のＩＤコードを更新する。ネットワーク通信部１８は、通信回路等から構成され、情報通信ネットワーク３を介してサーバ４との通信（パケット通信）を制御する。記憶部１９は、たとえばハードディスク装置であり、ＩＤコードなどを記憶する。
【００３３】
エンコーダ（変調部）１６Ａ〜１６Ｃは、ＤＳＰ等から構成され、制御部１５から受信したＩＤコードを音響ＩＤ５に音響化し（拡散変調し）、指向性制御部１７に送信する。エンコーダ１６Ａ〜１６Ｃは、それぞれ１のＩＤコードを受信し、図５に示す周波数帯域に含まれる音響ＩＤ５Ａ〜５Ｃに変調する。具体的には、音響ＩＤ５Ａ〜５Ｃの各ＩＤコードの情報信号に、ＰＮコード（拡散符号）８Ａ〜８Ｃを乗積し、その後にキャリア９Ａ〜９Ｃを用いて変調する。その際、各音響ＩＤ５Ａ〜５ＣがエリアＡ〜Ｃに到達する所定の音量となるように変調する。例えば、音響ＩＤ５Ａ：１／２Ｋ（ｄＢ），音響ＩＤ５Ｂ，５Ｃ：Ｋ（ｄＢ）（Ｋは数値）の音量で変調する。なお、拡散変調の処理については、国際公開第２０１０／０１６５８９号パンフレットに詳細に説明されている。
【００３４】
指向性制御部１７は、ＤＳＰなどから構成され、音響信号の指向性を制御する。具体的には、音響信号を所定の焦点に向けて出力するべく指向性スピーカ１３を構成する各スピーカに出力するタイミングを制御する。この実施形態では、再生装置１１０からの音響信号、音響ＩＤ５Ａ〜５Ｃの音響信号のそれぞれについて指向性が制御される。再生装置１１０からの音響信号は、たとえば、指向性スピーカ１３から拡散するように制御される。音響ＩＤ５Ａ〜５Ｃの音響信号は、上述したようにエリア５Ａ〜５Ｃの形状に沿った方向に放音されるように制御される。より具体的には、音響ＩＤ５Ａ，５Ｂ：直進方向、音響ＩＤ５Ｃ：拡散方向で制御される。入力された各音響信号は、出力されるスピーカごとに重畳される。
【００３５】
指向性制御部１７から出力された音響信号は、図示しないＤ／Ａコンバータ、アンプ等を介して指向性スピーカ１３を構成する各スピーカに入力される。指向性スピーカ１３は、たとえば列状に配置された複数のスピーカから構成されている。なお、この実施形態では、音響ＩＤ５の放音は、再生装置１１０による動画の再生中は常に行われるが、任意に放音期間を設定してもよい。
【００３６】
図７は、スマートフォン２の構成例を示すブロック図である。なお、図７では、本願発明に関係する機能のみを示す。
【００３７】
スマートフォン２は、マイクロフォン２１、音響ＩＤ処理２２、ネットワーク通信部２５、ウェブブラウザ２６、操作部２７、記憶部２８を備えている。音響ＩＤ処理部２２は、音響ＩＤアプリケーションプログラム２００および制御部（コンピュータ）の協働によって実現され、ＩＤ復調部２３および再生処理部２４を備えている。マイクロフォン（集音部）２１は、モニタ１のスピーカから放音された音響を収音する。ＩＤ復調部２３は、収音して得られた音声信号を、拡散変調に用いられた拡散符号を係数とする整合フィルタに通すことによってＩＤコードを復調する処理部である。この復調処理についても、国際公開第２０１０／０１６５８９号パンフレットに詳細に説明されている。
【００３８】
再生処理部２４は、ネットワーク通信部２５を介してサーバ４と通信し、ＩＤ復調部２３が復調したＩＤコード（音響ＩＤ５）を送信してコンテンツ情報を取得し、このコンテンツ情報に基づいてコンテンツを再生する。ネットワーク通信部２５は、通信回路等から構成され、情報通信ネットワーク３を介してサーバ４等との通信を制御する。また、再生処理部２４は、復調されたＩＤコードが複数ある場合、優先順位テーブル２０に基づいて１のＩＤコードを選択し、このＩＤコードをサーバ４に送信する。したがって、再生処理部２４は、本発明の選択部を含む。
【００３９】
ウェブブラウザ２６は、ユーザ６の操作に従って、コンテンツ再生部２４が取得したコンテンツ情報に含まれるＵＲＬにアクセスしてウェブページを表示する。操作部２７はたとえばタッチパネルであり、情報通信ネットワーク３との通信の許可などのユーザ６の操作を検出する。記憶部２８は、たとえばハードディスク装置であり、音響ＩＤ処理アプリケーションプログラム２００、優先順位テーブル２０などを記憶する。
【００４０】
図８は、スマートフォン２（音響ＩＤ処理部２２）の音響ＩＤ５の取得動作を示すフローチャートである。音響ＩＤを検出しない間（ステップＳ１でＮＯ）は、ステップＳ１で待機している。音響ＩＤを検出すると（ステップＳ１でＹＥＳ）、これをＩＤコードに復調し（ステップＳ２）、複数のＩＤコードが復調されたかを判断する（ステップＳ３）。複数のＩＤコードが復調された場合（ステップＳ３でＹＥＳ）、音響処理部２２は、優先順位テーブル２０を読み出して、優先順位の高いＩＤコードを選択し（ステップＳ４）、選択されたＩＤコードをサーバ４に送信する（ステップＳ５）。また、複数のＩＤコードが復調されていない場合（ステップＳ３でＮＯ）、音響処理部２２は、復調されたＩＤコードをサーバ４に送信する（ステップＳ５）。
【００４１】
サーバ４は受信したＩＤコードに対応するコンテンツ情報を読み出し、これをスマートフォン２に返信する。スマートフォン２がこのコンテンツ情報をステップＳ６で受信すると、音響ＩＤ処理部２２は、コンテンツ情報を再生（表示）する（ステップＳ７）。さらに、再生されたコンテンツ情報に対してユーザ６によるＵＲＬの選択操作があった場合（ステップＳ８でＹＥＳ）、音響ＩＤ処理部２２は、ウェブブラウザプログラムを起動して（ステップＳ９）、上記ＵＲＬをウェブブラウザ２６に渡し（ステップＳ１０）、このＵＲＬで指定されるコンテンツサーバにアクセスしてウェブページを表示させる（ステップＳ１１）。これにより、ユーザ６は、上述したように新製品の購入のためのクーポンを画面に表示させることができる。
【００４２】
なお、上述した実施形態では、優先順位テーブル２０に基づいて優先順位の高い音響ＩＤ５（ＩＤコード）が選択される例を示したが、種々の方法によって優先順位を特定することが可能である。
【００４３】
たとえば、周波数帯域に優先順位を設定する構成でもよい。これにより、優先順位の高い周波数帯域に含まれる音響ＩＤ５を優先順位の高い音響ＩＤ５とすることができる。この場合、周波数帯域に優先順位を対応付けたテーブルを記憶部２８に記憶しておけばよい。あるいは、放音装置１１において優先順位情報も変調して音響ＩＤ５とともに放音するようにしてもよい。
【００４４】
また、スマートフォン２において優先順位を判断しなくてもよい。たとえば、サーバ４が優先順位を判断すればよい。この場合、音響ＩＤ処理部２２は、取得した複数の音響ＩＤ５のＩＤコードの全てをサーバ４に送信する。そして、サーバ４は、受信したＩＤコードのうちから優先順位の高いＩＤコードを選択し、このＩＤコードに対応するコンテンツ情報を返信する。
【００４５】
以上は、スマートフォン２で複数の音響ＩＤ５が取得された場合に、優先順位の高い音響ＩＤ５（ＩＤコード）に対応するコンテンツ情報が再生される例を示した。一方、スマートフォン２によって取得される音響ＩＤ５の種類の変化からユーザ６（スマートフォン２）の移動を検知することも可能であり、スマートフォン２が、この移動に応じたコンテンツ情報を再生することも可能である。
【００４６】
たとえば、スマートフォン２は、前回取得した音響ＩＤ５の種類から今回取得した音響ＩＤ５の種類への変化に応じて、図９に示すエリア移動コンテンツテーブル４５から対応するエリア移動コンテンツ情報を読み出し、表示画面に表示する（再生する）。上記移動に応じたコンテンツの再生は、たとえば音響ＩＤアプリケーションプログラム２００を起動して実現される音響ＩＤ処理部２２（再生処理部２４）によって実行される。したがって、再生処理部２４は、本発明はエリア移動再生処理部を含む。
【００４７】
エリア移動コンテンツテーブル４５は、スマートフォン２の記憶部２８に記憶されている。エリア移動コンテンツテーブル４５には、エリア移動コンテンツ情報（テキストデータ）が前回取得ＩＤおよび今回取得ＩＤに対応付けられて登録されている。前回取得ＩＤは、前回（一定時間前に）取得した音響ＩＤ５の種類を示す。今回取得ＩＤは、今回の音響ＩＤ取得処理で取得した音響ＩＤ５の種類を示す。音響ＩＤ５Ａ（０００１）が取得されている場合は、ユーザ６がエリアＡにいると判断され、音響ＩＤ５Ｂ（０００２）が取得されており、音響ＩＤ５Ａ（０００１）が取得されていない場合は、ユーザ６がエリアＢにいると判断される。また、音響ＩＤ５Ｃ（０００３）のみが取得されている場合はユーザ６エリアＣにいると判断される。さらに、どの音響ＩＤ５も取得されていない場合は、エリア外であると判断される。
【００４８】
なお、ユーザ６の移動判定は、取得される音響ＩＤ５の変化に基づいて行うのであれば、その手法に制限はない。上述したように、取得された音響ＩＤの種類の変化に基づいてエリア移動を判定してもよく、取得される音響ＩＤ５の数や取得される音響ＩＤの周波数帯域の変化に基いてエリア移動を判定してもよい。また、これらの手法を組み合わせてエリア移動を判定してもよい。
【００４９】
たとえば、スマートフォン２が前回音響ＩＤ５Ａ（０００１）を取得しており（音響ＩＤ５が３つ取得されている）、今回音響ＩＤ５Ａ（０００１）を取得せず音響ＩＤ５Ｂ（０００２）を取得した場合（音響ＩＤ５が２つ取得されている）、エリア移動コンテンツテーブル４５を参照して「次のセッション（３０分後）では、また別のお得情報をお伝えしますので、再度のご来訪をお待ちしております。」のコンテンツ情報がスマートフォン２の表示画面に表示される。この例では、音響ＩＤ５Ａ（０００１）が取得されなくなり、且つ、音響ＩＤ５Ｂ（０００２）が取得されつづけていることで、エリアＡからエリアＢに移動したことが判定され、モニタ１を視聴していたユーザ６が、他の場所へ移動しようとしているものと推測される。そのため、上述したような有用な情報を追加的に与えることでユーザ６が再度来訪する確率を向上させる。
【００５０】
このように、ユーザ６の移動を検知して、移動状況に応じた情報をユーザ６に追加的に提供することもでき、音響を用いた情報配信の利便性をより向上させることができる。
【００５１】
図１０は、スマートフォン２（音響ＩＤ処理部２２）の音響ＩＤ５の取得動作および移動検知動作を示すフローチャートである。なお、ステップＳ１〜Ｓ１１までの取得動作の処理は、図８に示す処理とほぼ同様であり、主としてステップＳ１２以降の移動検知動作についてのみ説明する。
【００５２】
音響ＩＤ処理部２２は、ステップＳ８においてユーザ６によるＵＲＬの選択操作がなかった場合、コンテンツ情報を表示するべき所定の移動があったかを判断する（ステップＳ１２）。上述したように今回ステップＳ２で復調（取得）した音響ＩＤ５および前回取得した音響ＩＤ５を、エリア移動コンテンツテーブル４５の前回取得ＩＤおよび今回取得ＩＤと比較し、合致する組み合わせがあるかを判断する。合致する組み合わせがあった場合（ステップＳ１２でＹＥＳ）、対応するエリア移動コンテンツ情報をエリア移動コンテンツテーブル４５から取得し（ステップＳ１３）、スマートフォン２の画面に再生（表示）する（ステップＳ１４）。
【００５３】
そして、ステップＳ２で取得した音響ＩＤ５を、前回取得した音響ＩＤ５として記憶部２８に記憶（更新）する（ステップＳ１５）。また、合致する組み合わせがない場合、すなわち、エリアを移動していない場合または予定した方向以外に移動した場合（ステップＳ１２でＮＯ）、メッセージの再生をせずにステップＳ１５に移行する。
【００５４】
また、上述の実施形態では、音響ＩＤ５を指向性スピーカ１３を用いて放音しているが、一般的なスピーカユニットをエリア別に設けて、それぞれ音響ＩＤおよび再生装置１１０の音響信号を放音することも可能である。また、図１１に示すような一部が重複する直線状に形成されたエリアＤ〜Ｆに音響ＩＤ５Ｄ〜５Ｆを放音する場合であれば、１つのスピーカユニット１５１を用い、音響ＩＤ５Ｄ〜５ＦをエリアＤ〜Ｆに応じた音量で放音すればよい。
【００５５】
以上の実施形態では、展示会のモニタの放音装置に本発明の情報配信システムを使用した例を示したが、本発明は、展示会のモニタの放音装置に限定されない。たとえば、放音装置がラジオ受信機であってもよい。また、放音装置が、小売店舗、ショッピングモール等の施設に設置されたデジタルサイネージなどのスピーカを利用したものであってもよい。
【００５６】
施設としては、店舗等の商業施設に限らず、公共施設、民間施設、集合住宅、事務所施設等の各種施設に適用が可能である。たとえば、小売店舗の店頭（店舗近傍）または店内に設置されたスピーカから放音される呼び込み音声や音楽（ＢＧＭ）に音響ＩＤを重畳し、店舗近傍を通り掛かる顧客や店舗に入店した顧客に、情報を配信するサービスに適用することが可能である。
【００５７】
上述した実施形態におけるスマートフォン２の音響ＩＤ処理部２２は、制御部と音響ＩＤアプリケーションプログラム２００との協働によって実現される機能部であり、この音響ＩＤアプリケーションプログラム２００は、コンピュータ読み取り可能な記録媒体に記録した状態で提供し得るものである。コンピュータ読み取り可能な記憶媒体としては、磁気記録媒体（磁気テープ、磁気ディスク（ＨＤＤ、ＦＤ）など）、光記録媒体（光ディスク（ＣＤ、ＤＶＤ）など）、光磁気記録媒体、半導体メモリなどを適用することが可能である。また、上記のプログラムは、インターネットのような情報通信ネットワーク経由でダウンロードさせることも可能である。また、本実施形態では、携帯端末装置としてスマートフォン２を例示しているが、スマートフォン２に限定されない。
【００５８】
また、上述した実施形態におけるスマートフォン２のコンテンツ再生は、ＩＤコードに対応するコンテンツ情報をサーバ４から受信して行っているが、特にこれに限定されない。たとえば、スマートフォン２が、コンテンツテーブル４０を記憶部２８に記憶するようにしてもよい。この場合、スマートフォン２からサーバ４へのアクセスは不要となる。
【符号の説明】
【００５９】
１  モニタ
２  スマートフォン（携帯端末装置）
３  情報通信ネットワーク
４  サーバ
５（５Ａ〜５Ｃ）  音響ＩＤ
６  ユーザ
１１  放音装置
１２  音声再生機
１３  指向性スピーカ
２０  優先順位テーブル
４５  エリア移動コンテンツテーブル
【図１】
2019036973.tif 000003
【図２】
2019036973.tif 000004
【図３】
2019036973.tif 000005
【図４】
2019036973.tif 000006
【図５】
2019036973.tif 000007
【図６】
2019036973.tif 000008
【図７】
2019036973.tif 000009
【図８】
2019036973.tif 000010
【図９】
2019036973.tif 000011
【図１０】
2019036973.tif 000012
【図１１】
2019036973.tif 000013
【手続補正書】
【提出日】平成30年10月1日(2018.10.1)
【手続補正１】
【補正対象書類名】特許請求の範囲
【補正対象項目名】請求項１
【補正方法】変更
【補正の内容】
【請求項１】
入力された信号を、複数のそれぞれ異なる指向性で放音可能な指向性スピーカと、
音声信号および音響化された複数の識別情報が入力され、各識別情報を前記音声信号に重畳し、それぞれ異なる指向性を持つように制御して前記指向性スピーカに供給する放音制御部と、
を備えた放音装置。
【手続補正２】
【補正対象書類名】明細書
【補正対象項目名】０００６
【補正方法】変更
【補正の内容】
【０００６】
本発明の放音装置は、入力された信号を複数のそれぞれ異なる指向性で放音可能な指向性スピーカと、音声信号および音響化された複数の識別情報が入力され、各識別情報を音声信号に重畳し、それぞれ異なる指向性を持つように制御して指向性スピーカに供給する放音制御部と、を備えたことを特徴とする。